(57)【要約】【課題】ジャックの面積を小型化したまま、コンポジット信号より各信号間の干渉が小さいコンポーネント信号を用いて、高品質の映像信号を伝送する。【解決手段】信号重畳回路１１は輝度信号９とテレビ表示の同期に用いる水平垂直同期信号１０とを重畳し、デジタル重畳輝度信号１を生成する。生成されたデジタル重畳輝度信号１と、色差信号（Ｃｂ）２および色差信号（Ｃｒ）３はＤ／Ａ変換回路部４においてＤ／Ａ変換され、アナログ重畳輝度信号となる。デジタル重畳輝度信号１、色差信号２，３に対応するアナログ重畳輝度信号は７５Ωドライバ回路部５を介して４極ミニジャック６へと出力される。７５Ωドライバ５ａ、５ｂ、５ｃを介して出力される輝度信号、色差信号に対応した３つのアナログ重畳輝度信号は、各々が、４極ミニジャック６が有する端子のうち３つの端子に独立に接続される。【選択図】  図１
2005252589.tif 000002
【特許請求の範囲】
【請求項１】
アナログ輝度信号にアナログ水平垂直同期信号が重畳されたアナログ重畳輝度信号、第１のアナログ色差信号および第２のアナログ色差信号を、それぞれ独立に出力する第１、第２および第３の端子を有するミニジャックを備えることを特徴とする映像信号出力装置。
【請求項２】
請求項１記載の映像信号出力装置であって、
デジタル輝度信号にデジタル水平垂直同期信号が重畳したデジタル重畳輝度信号を前記アナログ重畳輝度信号に変換し、前記デジタル輝度信号に同期した第１および第２のデジタル色差信号を前記第１および第２のアナログ色差信号に変換するＤ／Ａ変換回路部と、
前記Ｄ／Ａ変換回路部から供給される前記アナログ輝度信号および前記第１および第２のアナログ色差信号を、前記ミニジャックに供給する７５Ωドライバ回路部とを備えることを特徴とする映像信号出力装置。
【請求項３】
請求項２記載の映像信号出力装置であって、
前記Ｄ／Ａ変換回路部は、前記デジタル重畳輝度信号および前記第１および第２のデジタル色差信号をＤ／Ａ変換する第１、第２および第３のＤ／Ａ変換器を含み、
前記７５Ωドライバ回路部は、前記第１、第２および第３のＤ／Ａ変換器の出力に対応する第１、第２および第３の７５Ωドライバを含むことを特徴とする映像信号出力装置。
【請求項４】
請求項２記載の映像信号出力装置であって、
供給される輝度信号および水平垂直同期信号を重畳させて前記デジタル重畳輝度信号を生成する信号重畳回路部を備えることを特徴とする映像信号出力装置。
【請求項５】
請求項１記載の映像信号出力装置であって、
前記ミニジャックは、ＧＮＤに接続される第４の端子を有する４極ミニジャックであることを特徴とする映像信号出力装置。
【請求項６】
請求項４記載の映像信号出力装置であって、
前記輝度信号、前記水平垂直同期信号、前記第１および第２のデジタル色差信号およびバーストフラグ信号が供給され、前記輝度信号および前記水平垂直同期信号を前記信号重畳回路部に供給する信号分離回路部を備えることを特徴とする映像信号出力装置。
【請求項７】
請求項６記載の映像信号出力装置であって、
前記信号分離回路部は、前記第１および第２のデジタル色差信号のゲインを調整する第１および第２のゲイン調整回路と、前記バーストフラグ信号のゲインを調整する第３のゲイン調整回路とを備え、
第１、第２および第３のゲイン調整回路のゲインを小さくすることにより、前記輝度信号、前記水平垂直同期信号、前記第１、第２のデジタル色差信号および前記バーストフラグ信号から、前記輝度信号および前記水平垂直同期信号を分離して前記信号重畳回路部に供給することを特徴とする映像信号出力装置。
【請求項８】
請求項６記載の映像信号出力装置であって、
前記第１および第２のデジタル色差信号を遅延させて前記デジタル重畳輝度信号と同期させる遅延回路部を有することを特徴とする映像信号出力装置。
【請求項９】
アナログ輝度信号にアナログ水平垂直同期信号が重畳されたアナログ重畳輝度信号、第１のアナログ色差信号および第２のアナログ色差信号をそれぞれ独立に出力するか、あるいはビデオ出力用コンポジット信号、第１の音声信号および第２の音声信号をそれぞれ独立に出力するかを選択可能な第１、第２および第３の端子を有するミニジャックを備えることを特徴とする映像信号出力装置。
【請求項１０】
請求項９記載の映像信号出力装置であって、
デジタル輝度信号にデジタル水平垂直同期信号が重畳したデジタル重畳輝度信号を前記アナログ重畳輝度信号に変換し、前記デジタル輝度信号に同期した第１および第２のデジタル色差信号を前記第１および第２のアナログ色差信号に変換するＤ／Ａ変換回路部と、
前記Ｄ／Ａ変換回路部から供給される前記アナログ輝度信号および前記第１および第２のアナログ色差信号を、前記ミニジャックに供給する７５Ωドライバ回路部と、
前記７５Ωドライバ回路部から供給される前記第１および第２のアナログ色差信号と、前記第１および第２の音声信号のいずれか一方を選択して前記ミニジャックに供給する選択回路部とを備えることを特徴とする映像信号出力装置。
【請求項１１】
請求項１０記載の映像信号出力装置であって、
輝度信号、水平垂直同期信号、第１、第２のデジタル色差信号およびバーストフラグ信号を供給され、前記輝度信号および前記水平垂直同期信号を分離する信号分離回路部を備えることを特徴とする映像信号出力装置。
【請求項１２】
請求項１１記載の映像信号出力装置であって、
前記信号分離回路部は、前記第１および第２のデジタル色差信号のゲインを調整する第１および第２のゲイン調整回路と、前記バーストフラグ信号のゲインを調整する第３のゲイン調整回路とを含み、
前記第１、第２および第３のゲイン調整回路のゲインを小さくすることにより、前記輝度信号、前記水平垂直同期信号、前記第１、第２のデジタル色差信号および前記バーストフラグ信号から、前記輝度信号および前記水平垂直同期信号を分離することを特徴とする映像信号出力装置。
【請求項１３】
請求項１１記載の映像信号出力装置であって、
前記信号分離回路部は、前記選択回路部が前記第１および第２のアナログ色差信号を選択する場合に、前記第１、第２および第３のゲイン調整回路のゲインを小さくし、
前記選択回路部が前記第１、第２の音声信号を選択する場合に、前記第１、第２および第３のゲイン調整回路のゲインを大きくすることを特徴とする映像信号出力装置。
【請求項１４】
請求項１１記載の映像信号出力装置であって、
前記信号分離回路部は、前記選択回路部が前記第１および第２のアナログ色差信号を選択する場合に、前記輝度信号および前記水平垂直同期信号を重畳させて前記デジタル輝度信号を生成し、
前記選択回路部が前記第１および第２の音声信号を選択する場合に、前記輝度信号、前記水平垂直同期信号、前記第１および第２のデジタル色差信号および前記バーストフラグ信号を重畳させてビデオ出力用コンポジット信号を生成する信号重畳回路部を備えることを特徴とする映像信号出力装置。
【請求項１５】
請求項１０記載の映像信号出力装置であって、
前記第１および第２のデジタル色差信号を遅延させて前記デジタル重畳輝度信号と同期させる遅延回路部を有することを特徴とする映像信号出力装置。
【請求項１６】
請求項９記載の映像信号出力装置であって、
前記ミニジャックは、ＧＮＤに接続される第４の端子を有する４極ミニジャックであることを特徴とする映像信号出力装置。
【請求項１７】
請求項９記載の映像信号出力装置であって、
出力する映像信号の種類を識別するためのＤＣ電圧信号を生成するＤＣ電圧出力回路部を備え、
前記ミニジャックは、前記ＤＣ電圧信号を出力する第４の端子と、ＧＮＤに接続される第５の端子とを有する５極ミニジャックであることを特徴とする映像信号出力装置。
【請求項１８】
請求項１７記載の映像信号出力装置であって、
前記第４の端子が、前記５極ミニジャックのプラグ差込口に対して奥に配置されていることを特徴とする映像信号出力装置。
【請求項１９】
請求項１７記載の映像信号出力装置であって、
前記ＤＣ電圧信号は、アスペクト比が４：３の時は０Ｖ、アスペクト比が４：３レターボックス信号の時は１．４Ｖ〜２．４Ｖ、アスペクト比が１６：９の時は５Ｖを示すＴＶ表示アスペクト比識別信号であることを特徴とする映像信号出力装置。
【請求項２０】
請求項１７記載の映像信号出力装置であって、
前記ＤＣ電圧信号は、走査線数が５２５本の時は０Ｖ、走査線数が７５０本の時は１．４Ｖ〜２．４Ｖ、走査線数が１１２５本の時は５Ｖを示すＴＶ表示走査線数識別信号であることを特徴とする映像信号出力装置。
【請求項２１】
請求項１７記載の映像信号出力装置であって、
前記ＤＣ電圧信号は、走査方式がインターレースの時は０Ｖ、走査方式がプログレッシブの時は５Ｖを示すＴＶ表示走査方式識別信号であることを特徴とする映像信号出力装置。
【請求項２２】
請求項９記載の映像信号出力装置であって、
出力する映像信号の種類を識別するための第１、第２および第３のＤＣ電圧信号を出力するＤＣ電圧出力回路部を備え、
前記ミニジャックは、前記第１のＤＣ電圧信号が出力される第４の端子、前記第２のＤＣ電圧信号が出力される第５の端子、前記第３のＤＣ電圧信号が出力される第６の端子、およびＧＮＤに接続される第７の端子を有する７極ミニジャックであることを特徴とする映像信号出力装置。
【請求項２３】
請求項２２記載の映像信号出力装置であって、
前記第１、第２および第３のＤＣ電圧信号は、ＴＶ表示アスペクト比識別信号、ＴＶ表示走査線数識別信号およびＴＶ表示走査方式識別信号であることを特徴とする映像信号出力装置。
【請求項２４】
請求項２２記載の映像信号出力装置であって、
前記第４、第５および第６の端子が、前記７極ミニジャックのプラグ差込口に対して奥に配置されていることを特徴とする映像信号出力装置。
【請求項２５】
請求項１ないし２４のいずれか１項記載の映像信号出力装置を有することを特徴とするデジタル撮像装置。
【請求項２６】
映像信号出力装置から映像表示装置または映像録画装置へ映像信号を伝送するための映像信号伝送ケーブルであって、
一端に第１、第２および第３端子を有するミニプラグを備えるとともに、他端にＤ端子コネクタプラグを備え、
前記第１、第２および第３端子は、前記Ｄ端子コネクタプラグの輝度信号および第１および第２の色差信号に対応する所定の端子に独立に接続されていることを特徴とする映像信号伝送ケーブル。
【請求項２７】
請求項２６記載の映像信号伝送ケーブルであって、
前記ミニプラグは、前記Ｄ端子コネクタプラグのＧＮＤ信号に対応する所定の端子に接続される第４の端子を有する４極ミニプラグであることを特徴とする映像信号伝送ケーブル。
【請求項２８】
請求項２６記載の映像信号伝送ケーブルであって、
前記ミニプラグは、前記Ｄ端子コネクタプラグにおいて伝送される映像信号の種類を識別するためのＤＣ電圧端子に対応する所定の端子に接続される第４の端子と、
前記Ｄ端子コネクタプラグのＧＮＤ信号に対応した所定の端子に接続される第５の端子とを有する５極ミニプラグであることを特徴とする映像信号伝送ケーブル。
【請求項２９】
請求項２８記載の映像信号伝送ケーブルであって、
前記第４の端子は、前記ミニプラグの先に配置されることを特徴とする映像信号伝送ケーブル。
【請求項３０】
請求項２６記載の映像信号伝送ケーブルであって、
前記ミニプラグは、前記Ｄ端子コネクタプラグにおいて伝送される映像信号の種類を識別するための複数のＤＣ電圧端子に対応する所定の端子にそれぞれ独立に接続される第４、第５および第６の端子と、
前記Ｄ端子コネクタプラグのＧＮＤ信号に対応する所定の端子に接続される第７の端子とを有する７極ミニプラグであることを特徴とする映像信号伝送ケーブル。
【請求項３１】
請求項３０記載の映像信号伝送ケーブルであって、
前記第４、第５および第６の端子は、前記ミニプラグの先に配置されることを特徴とする映像信号伝送ケーブル。
【請求項３２】
映像信号出力装置から映像表示装置または映像録画装置へ映像信号を伝送するための映像信号伝送ケーブルであって、
一端に第１、第２および第３端子を有するミニプラグを備えるとともに、他端に映像・音声ピンプラグを備え、
前記第１、第２および第３端子は、前記映像・音声ピンプラグの輝度信号および第１および第２の色差信号に対応する所定の端子に独立に接続されていることを特徴とする映像信号伝送ケーブル。
【請求項３３】
請求項３２記載の映像信号伝送ケーブルであって、
前記ミニプラグは、前記映像・音声ピンプラグのＧＮＤ信号に対応する所定の端子に接続される第４の端子を有する４極ミニプラグであることを特徴とする映像信号伝送ケーブル。
【発明の詳細な説明】
【技術分野】
【０００１】
本発明は、映像信号出力用Ｄ端子への変換コネクタを装備し、Ｄ端子用信号出力を可能とする映像信号出力装置および映像信号伝送ケーブルに関するものである。
【背景技術】
【０００２】
近年、撮影した画像をデジタルデータとして格納し、パソコン等へデータ転送することが可能なデジタル撮像装置（デジタルスチルカメラ、デジタルビデオカメラ等）が普及してきている。これらのデジタル撮像装置は高画素数化、高画質化、高速処理化が進む一方で、小型・軽量化も付加価値として望まれている。
【０００３】
デジタル撮像装置の長所として、撮影した画像・映像を本体の液晶パネルですぐに確認できるという点がある。しかしながら、液晶パネルのサイズには限界があるため、撮影した画像・映像をパソコンに転送して見ることが一般的である。パソコンを持たないユーザや、あるいは手軽に大画面で見たい場合などにおいては、デジタル撮像装置をテレビ（またはビデオ）等に映像ケーブルで接続してテレビ画面で見ることも可能である。
【０００４】
デジタル撮像装置での撮影画像をテレビ等に映し出す方法としては、前記映像ケーブル接続以外にもＳＤカード（Secure Digital memory card）等のメモリーカードに撮像データを記憶させ、そのメモリーカードをテレビ等のカードソケットに挿入しテレビ内部でメモリーカード内の画像データを再生する方法や、メモリーカードスロットを装備したＤＶＤレコーダーなどにメモリーカードを挿入し、ＤＶＤレコーダーで再生する方法もある。
【０００５】
しかしながら、この方法は、テレビ側がメモリーカードに対応していなければならず、現状では、アナログテレビのほとんどはメモリーカードに対応していない。
【０００６】
また最近のデジタルテレビにはメモリースロットは装備されているが、ＪＰＥＧ（Joint Photographic Experts Group）伸張回路などがハードとして装備されていなければ、画像表示に時間がかかるなどの問題点がある。従って、デジタル撮像装置での撮影画像を、より簡単・手軽にテレビに映し出す方法としては、映像伝送ケーブルで接続し、デジタル撮像装置側で再生することが最も一般的である。
【０００７】
一方、近年においては、表示側の機器も進歩し、従来のテレビ用コンポジット信号から、輝度信号（Ｙ）と色差信号（Ｃｒ、Ｃｂ）を分けて伝送するＳ端子ケーブルや、さらに各信号間の干渉を抑えるために、色差信号（Ｃｒ、Ｃｂ）もそれぞれ独立に伝送するＤ端子ケーブルに対応した機器も普及してきた。
【０００８】
Ｄ端子とは、日本電子機械工業会（ＥＩＡＪ）で定められた、民生用コンポーネント用信号端子で、一般的にはＢＳデジタルチューナやＤＶＤ等とテレビとの接続用を目的としている。Ｄ端子は表１に示されたＤ１〜Ｄ５の５ランクに分かれており、それぞれ伝送できる信号が異なる。
【表１】
2005252589.tif 000003
Ｄ端子は１４ピンのマルチコネクタを用いており、各ピンの対応は表２に示されている。
【表２】
2005252589.tif 000004
【０００９】
ここで端子１〜６は輝度信号、色差信号、およびそれぞれの信号に対するグランド信号である。Ｄ端子は表２のように輝度信号と色差信号をそれぞれ独立に伝送するため、各映像信号間の干渉がなく高品質な映像データを送受信できる。端子８、９、１１は識別信号であり、映像信号の走査線数、走査方式、および４：３や１６：９といった画面サイズ（アスペクト比）に関する識別信号を伝送する。識別信号の種類については表３に示されている。
【表３】
2005252589.tif 000005
【００１０】
表３において、識別信号１は走査線数に対応しており、表示側は識別信号１のＤＣ電圧に応じて、走査線数を識別する。識別信号２は走査方式に対応しており、表示側は識別信号２のＤＣ電圧に応じて、プログレッシブ（順次走査）あるいはインターレース（飛越し走査）の走査方式を識別する。識別信号３はアスペクト比に対応しており、表示側は識別信号３のＤＣ電圧に応じて、アスペクト比を識別する。
【００１１】
これらの識別信号を併せて伝送することにより、Ｄ端子は各種の信号を伝送することができる。また、コネクタプラグ挿入検出用のピンも備えている。上述のように、Ｄ端子には５種類あるが、Ｄ１端子であれば、表１に示すように走査線数、走査方式共に１種類なので、すなわち走査線数は５２５、走査方式はインターレースと決まっているので、識別信号１、２は利用していないことになる。
【００１２】
なお、本願発明に関連する先行技術として、映像信号（輝度信号と色差信号）を出力する３個のフォノピンジャックおよびＳ端子ジャックを備えた映像装置とＤ端子を備えた受像装置とを接続するＤ端子用変換ケーブルが既に提案されている（例えば、特許文献１参照）。
【００１３】
また、４極ミニジャックを装備し、ジャックに接続されるプラグが３極ミニプラグなのか４極ミニプラグなのかを検出し、映像音声端子とイヤホン端子の共通化方法を提案しているものもある（例えば、特許文献２参照）。
【特許文献１】特開２００３−５２０４７号公報（第１図）
【特許文献２】特開平１１−１１０７０４号公報（第１図）
【発明の開示】
【発明が解決しようとする課題】
【００１４】
しかしながら、従来のデジタル撮像装置には、映像信号出力用Ｄ端子を装備しているものは存在しない。なぜならば、Ｄ端子用コネクタを挿入するＤ端子ジャックは端子数が多く、大きな面積を必要とするため、デジタル撮像装置の小型・軽量化を阻害してしまうからである。
【００１５】
本発明は、ジャックの面積を小型化したまま、コンポジット信号（輝度信号、色差信号を重畳させた信号）より各信号間の干渉が小さいコンポーネント信号（輝度信号Ｙ、色差信号Ｃｒ，Ｃｂがそれぞれ独立な信号）を用いて、高品質の映像信号を伝送することが可能な映像信号出力装置および映像信号伝送ケーブルを提供することを目的とする。
【００１６】
また、本発明は、デジタル撮像装置を小型化したまま、より鮮明な画像データをハイビジョンテレビ等のＨＤＴＶに映すことが可能な映像信号出力装置および映像信号伝送ケーブルを提供することを目的とする。
【００１７】
さらに、本発明は、ジャック面積を小型化しつつ、かつＤ端子用信号出力と同様に映像信号に関する各種のフォーマット識別信号を出力することが可能な映像信号出力装置および映像信号伝送ケーブルを提供することを目的とする。
【課題を解決するための手段】
【００１８】
本発明の映像信号出力装置は、Ｄ端子として必要な信号のみをミニジャックから出力することを特徴とする。すなわち、４極ミニジャックから出力するときは、デジタル重畳輝度信号（輝度信号＋水平垂直同期信号）、色差信号（Ｃｒ，Ｃｂ）、グランド信号の４つを出力する。また、５極ミニジャックから出力するときは、上記の４つの信号のほかに、表示デバイスの特性を識別する３つの信号の１つを出力する。さらに、７極ミニジャックから出力するときはＤ５端子として必要な全ての信号を出力する。
【００１９】
また、本発明においては上記の映像信号出力装置に対応した片側がミニジャックであり、片側がＤ端子である映像信号伝送ケーブルをも提供する。
【００２０】
さらに本発明において、通常のコンポジット信号およびステレオ音声信号を出力するか、あるいはＤ端子として出力するかを選択可能とするために、色差信号（Ｃｒ，Ｃｂ）とステレオ音声信号との選択を行うための選択回路を設けても良い。
【００２１】
また、本発明の映像信号出力装置は、アナログ輝度信号にアナログ水平垂直同期信号が重畳されたアナログ重畳輝度信号、第１のアナログ色差信号および第２のアナログ色差信号を、それぞれ独立に出力する第１、第２および第３の端子を有するミニジャックを備えることを特徴とする。
【００２２】
本発明の映像信号出力装置によれば、映像信号出力装置の大きさを変えることなく、輝度・色差信号をそれぞれ独立に伝送するＤ端子コネクタに出力することができるため、従来のテレビ用コンポジット信号に比べより干渉が少なくなり、高画質な映像を出力することが可能となる。
【００２３】
また、本発明の映像信号出力装置は、デジタル輝度信号にデジタル水平垂直同期信号が重畳したデジタル重畳輝度信号を前記アナログ重畳輝度信号に変換し、前記デジタル輝度信号に同期した第１および第２のデジタル色差信号を前記第１および第２のアナログ色差信号に変換するＤ／Ａ変換回路部と、前記Ｄ／Ａ変換回路部から供給される前記アナログ輝度信号および前記第１および第２のアナログ色差信号を、前記ミニジャックに供給する７５Ωドライバ回路部とを備えることを特徴とする。
【００２４】
本発明の映像信号出力装置によれば、ミニジャックの面積を小型化したまま、コンポジット信号より各信号間の干渉が小さいコンポーネント信号を用いて、高品質の映像信号を伝送することが可能となる。
【００２５】
また、本発明の映像信号出力装置の前記Ｄ／Ａ変換回路部は、前記デジタル重畳輝度信号および前記第１および第２のデジタル色差信号をＤ／Ａ変換する第１、第２および第３のＤ／Ａ変換器を含み、前記７５Ωドライバ回路部は、前記第１、第２および第３のＤ／Ａ変換器の出力に対応する第１、第２および第３の７５Ωドライバを含むことを特徴とする。
【００２６】
本発明の映像信号出力装置によれば、第１、第２および第３のＤ／Ａ変換器、および第１、第２および第３の７５Ωドライバにより、輝度・色差信号をそれぞれ独立に伝送するＤ端子コネクタに出力することができる。
【００２７】
また、本発明の映像信号出力装置は、供給される輝度信号および水平垂直同期信号を重畳させて前記デジタル重畳輝度信号を生成する信号重畳回路部を備えることを特徴とする。
【００２８】
本発明によれば、コンポジット信号から分離した輝度信号および水平垂直同期信号から、簡単にデジタル重畳輝度信号を生成することができる。
【００２９】
また、本発明の映像信号出力装置の前記ミニジャックは、ＧＮＤに接続される第４の端子を有する４極ミニジャックであることを特徴とする。
【００３０】
本発明の映像信号出力装置によれば、従来のデジタル撮像装置の大きさを変えることなく、４極ミニジャックから輝度・色差信号をそれぞれ独立に伝送するＤ端子コネクタに出力することができる。また、４極ミニジャック自体は多く用いられているものであり、製品化は非常に容易である。
【００３１】
また、本発明の映像信号出力装置は、前記輝度信号、前記水平垂直同期信号、前記第１および第２のデジタル色差信号およびバーストフラグ信号が供給され、前記輝度信号および前記水平垂直同期信号を前記信号重畳回路部に供給する信号分離回路部を備えることを特徴とする。
【００３２】
本発明の映像信号出力装置によれば、コンポジット信号から輝度信号および水平垂直同期信号を分離し、簡単にデジタル重畳輝度信号を生成することができる。
【００３３】
また、本発明の映像信号出力装置の前記信号分離回路部は、前記第１および第２のデジタル色差信号のゲインを調整する第１および第２のゲイン調整回路と、前記バーストフラグ信号のゲインを調整する第３のゲイン調整回路とを備え、第１、第２および第３のゲイン調整回路のゲインを小さくすることにより、前記輝度信号、前記水平垂直同期信号、前記第１、第２のデジタル色差信号および前記バーストフラグ信号から、前記輝度信号および前記水平垂直同期信号を分離して前記信号重畳回路部に供給することを特徴とする。
【００３４】
本発明の映像信号出力装置によれば、輝度信号と色差信号（Ｃｒ、Ｃｂ）が独立に伝送されるため、各信号間の干渉がなく、高画質の信号をテレビ等の表示デバイスへと伝送することが可能である。
【００３５】
また、本発明の映像信号出力装置は、前記第１および第２のデジタル色差信号を遅延させて前記デジタル重畳輝度信号と同期させる遅延回路部を有することを特徴とする。
【００３６】
本発明の映像信号出力装置によれば、簡単な構成により第１および第２のデジタル色差信号とデジタル重畳輝度信号を同期させることができる。
【００３７】
また、本発明の映像信号出力装置は、アナログ輝度信号にアナログ水平垂直同期信号が重畳されたアナログ重畳輝度信号、第１のアナログ色差信号および第２のアナログ色差信号をそれぞれ独立に出力するか、あるいはビデオ出力用コンポジット信号、第１の音声信号および第２の音声信号をそれぞれ独立に出力するかを選択可能な第１、第２および第３の端子を有するミニジャックを備えることを特徴とする。
【００３８】
本発明の映像信号出力装置によれば、映像・音声の出力選択が可能となり、従来のミニプラグを用いたコンポジット信号と音声信号（Ｌ，Ｒ）を伝送するケーブルもそのまま利用することができる。
【００３９】
また、本発明の映像信号出力装置は、デジタル輝度信号にデジタル水平垂直同期信号が重畳したデジタル重畳輝度信号を前記アナログ重畳輝度信号に変換し、前記デジタル輝度信号に同期した第１および第２のデジタル色差信号を前記第１および第２のアナログ色差信号に変換するＤ／Ａ変換回路部と、前記Ｄ／Ａ変換回路部から供給される前記アナログ輝度信号および前記第１および第２のアナログ色差信号を、前記ミニジャックに供給する７５Ωドライバ回路部と、前記７５Ωドライバ回路部から供給される前記第１および第２のアナログ色差信号と、前記第１および第２の音声信号のいずれか一方を選択して前記ミニジャックに供給する選択回路部とを備えることを特徴とする。
【００４０】
本発明の映像信号出力装置によれば、映像・音声の出力選択が可能となり、従来のミニプラグを用いたコンポジット信号と音声信号（Ｌ，Ｒ）を伝送するケーブルもそのまま利用することができる。
【００４１】
また、本発明の映像信号出力装置は、輝度信号、水平垂直同期信号、第１、第２のデジタル色差信号およびバーストフラグ信号を供給され、前記輝度信号および前記水平垂直同期信号を分離する信号分離回路部を備えることを特徴とする。
【００４２】
本発明の映像信号出力装置によれば、コンポジット信号から輝度信号および水平垂直同期信号を分離し、簡単にデジタル重畳輝度信号を生成することができる。
【００４３】
また、本発明の映像信号出力装置の前記信号分離回路部は、前記第１および第２のデジタル色差信号のゲインを調整する第１および第２のゲイン調整回路と、前記バーストフラグ信号のゲインを調整する第３のゲイン調整回路とを含み、前記第１、第２および第３のゲイン調整回路のゲインを小さくすることにより、前記輝度信号、前記水平垂直同期信号、前記第１、第２のデジタル色差信号および前記バーストフラグ信号から、前記輝度信号および前記水平垂直同期信号を分離することを特徴とする。
【００４４】
本発明の映像信号出力装置によれば、色差信号（Ｃｒ、Ｃｂ）およびバーストフラグ信号を信号分離回路に入力した後に、例えばゲインを０としてデジタル輝度信号を分離することができる。
【００４５】
また、本発明の映像信号出力装置の前記信号分離回路部は、前記選択回路部が前記第１および第２のアナログ色差信号を選択する場合に、前記第１、第２および第３のゲイン調整回路のゲインを小さくし、前記選択回路部が前記第１、第２の音声信号を選択する場合に、前記第１、第２および第３のゲイン調整回路のゲインを大きくすることを特徴とする。
【００４６】
本発明の映像信号出力装置によれば、ゲインの調整をするのみで容易にデジタル重畳輝度信号を出力するかコンポジット信号を出力するかを選択することができる。
【００４７】
また、本発明の映像信号出力装置の前記信号分離回路部は、前記選択回路部が前記第１および第２のアナログ色差信号を選択する場合に、前記輝度信号および前記水平垂直同期信号を重畳させて前記デジタル重畳輝度信号を生成し、前記選択回路部が前記第１および第２の音声信号を選択する場合に、前記輝度信号、前記水平垂直同期信号、前記第１および第２のデジタル色差信号および前記バーストフラグ信号を重畳させてビデオ出力用コンポジット信号を生成する信号重畳回路部を備えることを特徴とする。
【００４８】
本発明の映像信号出力装置によれば、例えばユーザの選択によって、Ｄ端子としての信号か、あるいは通常のコンポジット信号およびステレオ音声信号を出力することができる。
【００４９】
また、本発明の映像信号出力装置は、前記第１および第２のデジタル色差信号を遅延させて前記デジタル重畳輝度信号と同期させる遅延回路部を有することを特徴とする。
【００５０】
本発明の映像信号出力装置によれば、簡単な構成により第１および第２のデジタル色差信号とデジタル重畳輝度信号を同期させることができる。
【００５１】
また、本発明の映像信号出力装置の前記ミニジャックは、ＧＮＤに接続される第４の端子を有する４極ミニジャックであることを特徴とする。
【００５２】
本発明の映像信号出力装置によれば、従来のデジタル撮像装置の大きさを変えることなく、４極ミニジャックから輝度・色差信号をそれぞれ独立に伝送するＤ端子コネクタに出力することができる。
【００５３】
また、本発明の映像信号出力装置は、出力する映像信号の種類を識別するためのＤＣ電圧信号を生成するＤＣ電圧出力回路部を備え、前記ミニジャックは、前記ＤＣ電圧信号を出力する第４の端子と、ＧＮＤに接続される第５の端子とを有する５極ミニジャックであることを特徴とする。
【００５４】
本発明の映像信号出力装置によれば、走査線数、走査方式、アスペクト比のいずれか１つを選択出力することが可能となる。
【００５５】
また、本発明の映像信号出力装置の前記第４の端子が、前記５極ミニジャックのプラグ差込口に対して奥に配置されていることを特徴とする。
【００５６】
本発明の映像信号出力装置によれば、第４の端子が５極ミニジャックのプラグ差込口から見て例えば一番奥に配置されているので、他の４極を用いることによりアスペクト比４：３のＤ１端子としての出力は行える。すなわち、本発明の映像信号出力装置は５極ミニプラグを使用した映像信号伝送ケーブルと、４極ミニプラグを使用した映像信号伝送ケーブルの双方を併用することが可能である。
【００５７】
また、本発明の映像信号出力装置の前記ＤＣ電圧信号は、アスペクト比が４：３の時は０Ｖ、アスペクト比が４：３レターボックス信号の時は１．４Ｖ〜２．４Ｖ、アスペクト比が１６：９の時は５Ｖを示すＴＶ表示アスペクト比識別信号であることを特徴とする。
【００５８】
本発明の映像信号出力装置によれば、アスペクト比が選択可能なＤ１端子としての出力を行うことが可能となる。
【００５９】
また、本発明の映像信号出力装置の前記ＤＣ電圧信号は、走査線数が５２５本の時は０Ｖ、走査線数が７５０本の時は１．４Ｖ〜２．４Ｖ、走査線数が１１２５本の時は５Ｖを示すＴＶ表示走査線数識別信号であることを特徴とする。
【００６０】
本発明の映像信号出力装置によれば、走査線本数を選択出力することが可能となる。
【００６１】
また、本発明の映像信号出力装置の前記ＤＣ電圧信号は、走査方式がインターレースの時は０Ｖ、走査方式がプログレッシブの時は５Ｖを示すＴＶ表示走査方式識別信号であることを特徴とする。
【００６２】
本発明の映像信号出力装置によれば、アスペクト比が４：３のＤ２端子としての出力を行うことが可能となる。
【００６３】
また、本発明の映像信号出力装置は、出力する映像信号の種類を識別するための第１、第２および第３のＤＣ電圧信号を出力するＤＣ電圧出力回路部を備え、前記ミニジャックは、前記第１のＤＣ電圧信号が出力される第４の端子、前記第２のＤＣ電圧信号が出力される第５の端子、前記第３のＤＣ電圧信号が出力される第６の端子、およびＧＮＤに接続される第７の端子を有する７極ミニジャックであることを特徴とする。
【００６４】
本発明の映像信号出力装置によれば、Ｄ端子の識別信号の全てを出力することができ、Ｄ５端子としての出力を行うことが可能となる。また、７極ミニジャックに必要となる面積はＤ端子に必要となる面積と比較すると格段に小さい。したがって、小型化が望まれるデジタル撮像装置においても、出力部の実装面積の増大を気にすることなく、Ｄ５端子としての出力を行うことが可能である。
【００６５】
また、本発明の映像信号出力装置の前記第１、第２および第３のＤＣ電圧信号は、ＴＶ表示アスペクト比識別信号、ＴＶ表示走査線数識別信号およびＴＶ表示走査方式識別信号であることを特徴とする。
【００６６】
本発明の映像信号出力装置を備えるデジタル撮像装置は、ミニジャックと同一の面積の出力部を有するのみでＤ５端子としての出力を行うことができる。Ｄ５端子においては、輝度信号と色差信号（Ｃｒ、Ｃｂ）が独立に伝送されるため、各信号間の干渉がなく、高画質の信号をテレビ等の表示デバイスへと伝送することが可能である。
【００６７】
また、本発明の映像信号出力装置の前記第４、第５および第６の端子が、前記７極ミニジャックのプラグ差込口に対して奥に配置されていることを特徴とする。
【００６８】
本発明の映像信号出力装置によれば、第４、第５および第６の端子が７極ミニジャックのプラグ差込口から見て例えば一番奥に配置されているので、他の４極を用いることによりアスペクト比４：３のＤ１端子としての出力は行える。すなわち、本発明の映像信号出力装置は７極ミニプラグを使用した映像信号伝送ケーブルと、４極ミニプラグを使用した映像信号伝送ケーブルの双方を併用することが可能である。
【００６９】
また、本発明の映像信号出力装置は、デジタルスチルカメラ、デジタルビデオカメラ等のデジタル撮像装置に搭載されることを特徴とする。
【００７０】
本発明の映像信号出力装置を搭載したデジタル撮像装置は、４極ミニジャックと同一の面積の出力部を有するのみでＤ端子としての出力を行うことができる。したがって、小型化が望まれるデジタル撮像装置においても、出力部の実装面積の増大を気にすることなく、Ｄ端子としての出力を行うことが可能である。
【００７１】
また、本発明の映像信号伝送ケーブルは、映像信号出力装置から映像表示装置または映像録画装置へ映像信号を伝送するための映像信号伝送ケーブルであって、一端に第１、第２および第３端子を有するミニプラグを備えるとともに、他端にＤ端子コネクタプラグを備え、前記第１、第２および第３端子は、前記Ｄ端子コネクタプラグの輝度信号および第１および第２の色差信号に対応する所定の端子に独立に接続されていることを特徴とする。
【００７２】
本発明の映像信号伝送ケーブルによれば、ジャックの面積を小型化したまま、コンポジット信号より各信号間の干渉が小さいコンポーネント信号を用いて、高品質の映像信号を伝送することが可能である。
【００７３】
また、本発明の映像信号伝送ケーブルの前記ミニプラグは、前記Ｄ端子コネクタプラグのＧＮＤ信号に対応する所定の端子に接続される第４の端子を有する４極ミニプラグであることを特徴とする。
【００７４】
本発明の映像信号伝送ケーブルによれば、デジタル撮像装置の４極ミニジャックに接続し、輝度・色差信号をそれぞれ独立に伝送するＤ端子信号により、より鮮明な画像データをハイビジョンテレビ等のＨＤＴＶに映すことが可能である。
【００７５】
また、本発明の映像信号伝送ケーブルの前記ミニプラグは、前記Ｄ端子コネクタプラグにおいて伝送される映像信号の種類を識別するためのＤＣ電圧端子に対応する所定の端子に接続される第４の端子と、前記Ｄ端子コネクタプラグのＧＮＤ信号に対応した所定の端子に接続される第５の端子とを有する５極ミニプラグであることを特徴とする。
【００７６】
本発明の映像信号伝送ケーブルによれば、走査線数、走査方式、アスペクト比のいずれか１つを選択出力することが可能となり、ジャック面積を小型化しつつ、かつＤ端子用信号出力と同様に映像信号に関する各種のフォーマット識別信号を出力することが可能である。
【００７７】
また、本発明の映像信号伝送ケーブルの前記第４の端子は、前記ミニプラグの先に配置されることを特徴とする。
【００７８】
本発明の映像信号伝送ケーブルによれば、第４の端子がミニプラグの例えば一番先に配置されるので、他の４極を用いることによりアスペクト比４：３のＤ１端子にも使用可能である。
【００７９】
また、本発明の映像信号伝送ケーブルの前記ミニプラグは、前記Ｄ端子コネクタプラグにおいて伝送される映像信号の種類を識別するための複数のＤＣ電圧端子に対応する所定の端子にそれぞれ独立に接続される第４、第５および第６の端子と、前記Ｄ端子コネクタプラグのＧＮＤ信号に対応する所定の端子に接続される第７の端子とを有する７極ミニプラグであることを特徴とする。
【００８０】
本発明の映像信号伝送ケーブルによれば、Ｄ端子の識別信号の全てを出力することができるので、小型化が望まれるデジタル撮像装置においても、出力部の実装面積の増大を気にすることなく、Ｄ５端子としての出力を行うことが可能である。
【００８１】
また、本発明の映像信号伝送ケーブルの前記第４、第５および第６の端子は、前記ミニプラグの先に配置されることを特徴とする。
【００８２】
本発明の映像信号伝送ケーブルによれば、第４、第５および第６の端子がミニプラグの例えば一番先に配置されるので、他の４極を用いることによりアスペクト比４：３のＤ１端子にも使用可能である。
【００８３】
また、本発明の映像信号伝送ケーブルは、映像信号出力装置から映像表示装置または映像録画装置へ映像信号を伝送するための映像信号伝送ケーブルであって、一端に第１、第２および第３端子を有するミニプラグを備えるとともに、他端に映像・音声ピンプラグを備え、前記第１、第２および第３端子は、前記映像・音声ピンプラグの輝度信号および第１および第２の色差信号に対応する所定の端子に独立に接続されていることを特徴とする。
【００８４】
本発明の映像信号伝送ケーブルによれば、例えばユーザの選択によって、通常のコンポジット信号およびステレオ音声信号を伝送することができるので、テレビ等の表示デバイスに撮像画像、撮像動画を表示させることも可能である。
【００８５】
また、本発明の映像信号伝送ケーブルの前記ミニプラグは、前記映像・音声ピンプラグのＧＮＤ信号に対応する所定の端子に接続される第４の端子を有する４極ミニプラグであることを特徴とする。
【００８６】
本発明の映像信号伝送ケーブルによれば、従来のデジタル撮像装置の大きさを変えることなく、映像・音声信号をそれぞれ独立に伝送する映像・音声ピンプラグに出力することができる。
【発明の効果】
【００８７】
本発明の映像信号出力装置および映像信号伝送ケーブルによれば、従来のデジタル撮像装置の大きさを変えることなく、もしくはほとんど大きくすることなく、輝度・色差信号をそれぞれ独立に伝送するＤ端子コネクタに出力することができるため、従来のテレビ用コンポジット信号に比べより干渉が少なくなり、高画質な映像を出力することが可能となる。
【００８８】
また、音声信号との選択回路を搭載することにより、映像・音声の出力選択が可能となり、従来の４極ミニプラグを用いたコンポジット信号と音声信号（Ｌ，Ｒ）を伝送するケーブルもそのまま利用することもできる。
【発明を実施するための最良の形態】
【００８９】
以下、本発明の実施の形態について説明する。
（実施の形態１）
本発明における実施の形態１について、図面を参照しながら説明する。図１は実施の形態１に係る映像信号出力装置７を示している。信号重畳回路１１は輝度信号９とテレビ表示の同期に用いる水平垂直同期信号１０とを重畳し、デジタル重畳輝度信号（輝度信号(Y)＋水平垂直同期信号）１を生成する。生成されたデジタル重畳輝度信号１と、色差信号（Ｃｂ）２および色差信号（Ｃｒ）３はＤ／Ａ変換回路部４においてＤ／Ａ変換され、アナログ重畳輝度信号となる。Ｄ／Ａ変換回路部４は各々のデジタル信号をＤ／Ａ変換する３つのＤ／Ａ変換器４ａ、４ｂ、４ｃを備えている。
【００９０】
デジタル重畳輝度信号１、色差信号（Ｃｒ、Ｃｂ）２，３に対応するアナログ重畳輝度信号は７５Ωドライバ回路部５を介して４極ミニジャック６へと出力される。７５Ωドライバ回路部は各々のアナログ重畳輝度信号を出力する３つの７５Ωドライバ５ａ、５ｂ、５ｃを備えている。７５Ωドライバ５ａ、５ｂ、５ｃを介して出力される輝度信号、色差信号（Ｃｒ、Ｃｂ）に対応した３つのアナログ重畳輝度信号は、各々が、４極ミニジャック６が有する端子のうち３つの端子に独立に接続されている。
【００９１】
また、４極ミニジャック６の残りの１端子はグランドに接続されている。グランドは表２におけるＹ−ＧＮＤ、Ｃｂ−ＧＮＤ、Ｃｒ−ＧＮＤ、識別信号１〜３、プラグ挿入検出−ＧＮＤとして用いられる。したがって、本実施形態の映像信号出力装置７は、走査線数が５２５、走査方式がインターレース、アスペクト比が４：３のＤ１端子としての出力を行っていることになる。映像信号出力装置７が出力する信号は４極ミニプラグ８からテレビ等の表示デバイスへと伝送される。
【００９２】
図２は実施の形態１に係る映像信号出力装置７から出力された信号をテレビ等の表示デバイスへと伝送する映像信号伝送ケーブルを示す。実施の形態１に係る映像信号伝送ケーブルは一方を４極ミニプラグ８として、他方をＤ端子コネクタプラグ３２として構成されている。
【００９３】
図３は実施の形態１に係る映像信号伝送ケーブルをさらに詳しく記載したものである。４極ミニプラグ８の輝度信号、色差信号（Ｃｒ、Ｃｂ）に対応する端子は、各々、表２におけるＤ端子コネクタプラグ３２のＹ、Ｃｒ、Ｃｂに対応する端子へと接続されている。また、グランドに対応する端子は表２におけるＤ端子コネクタプラグ３２のＹ−ＧＮＤ、Ｃｂ−Ｇｎｄ、Ｃｒ―ＧＮＤ、識別信号１〜３、プラグ挿入検出―ＧＮＤに対応する端子へと接続されている。すなわち、実施の形態１に係る映像信号伝送ケーブルは一方を４極ミニプラグとして、他方を走査線数が５２５、走査方式がインターレース、アスペクト比が４：３のＤ１端子としての信号を伝送することとなる。
【００９４】
図４は実施の形態１に係る映像信号出力装置７を備えるデジタル撮像装置３０である。  デジタル撮像装置３０は４極ミニジャックと同一の面積の出力部を有するのみでＤ１端子としての出力を行うことができる。４極ミニジャックに必要となる面積はＤ端子に必要となる面積と比較すると格段に小さい。したがって、実施の形態１によると、小型化が望まれるデジタル撮像装置３０においても、出力部の実装面積の増大を気にすることなく、Ｄ１端子としての出力を行うことが可能である。
【００９５】
Ｄ１端子においては、輝度信号と色差信号（Ｃｒ、Ｃｂ）が独立に伝送されるため、各信号間の干渉がなく、高画質の信号をテレビ等の表示デバイスへと伝送することが可能である。したがって、テレビ等の表示デバイスにおいてはデジタル撮像装置３０で撮像した画像、あるいは動画をより鮮明に映し出すことができる。また、４極ミニジャック自体は多く用いられているものであり、製品化は非常に容易である。
【００９６】
（実施の形態２）
本発明における実施の形態２について、図面を参照しながら説明する。実施の形態２においては、各デジタル信号の生成の仕方が実施の形態１と異なっている。
【００９７】
図５は実施の形態２に係る映像信号出力装置７の概略構成を示した図である。Ｄ／Ａ変換回路部４、７５Ωドライバ回路部５、４極ミニジャック６の構成については実施の形態１と同様であるので説明を省略する。
【００９８】
映像信号出力装置７においては通常のコンポジット出力向けに水平垂直同期信号１０、輝度信号９、色差信号（Ｃｂ）２、色差信号（Ｃｒ）３、およびテレビ等において色差信号を認識するのに用いるバーストフラグ信号１９をコンポジット信号１２として生成している。実施の形態２においてはこのコンポジット信号１２を分離することによってデジタル重畳輝度信号（輝度信号(Y)＋水平垂直同期信号）１を生成する。
【００９９】
まずコンポジット信号１２が信号分離回路１３へと入力される。信号分離回路１３は入力されたコンポジット信号１２のうち、色差信号（Ｃｂ）２、色差信号（Ｃｒ）３、バーストフラグ信号１９の各ゲインをゲイン調整用の乗算手段２１ａ〜２１ｃを用いて０とする。また、水平垂直同期信号１０と輝度信号９は信号重畳回路１１によって重畳され、デジタル重畳輝度信号１として出力される。
【０１００】
また、色差信号（Ｃｂ）２、色差信号（Ｃｒ）３は信号分離回路１３への入力前に分岐され、信号遅延回路２０によってデジタル重畳輝度信号１と同期される。同期されたデジタル重畳輝度信号１、色差信号（Ｃｂ）２、色差信号（Ｃｒ）３がＤ／Ａ変換回路部４への入力となる。
【０１０１】
実施の形態２の映像信号出力装置７は、実施の形態１と同様に、図４のようにしてデジタル撮像装置３０に実装することができる。したがって、実施の形態１と同様の効果を得ることができる。
【０１０２】
（実施の形態３）
本発明における実施の形態３について、図面を参照しながら説明する。実施の形態３においては、４極ミニジャックから音声信号と同期させた通常のコンポジット信号も出力できる点で実施の形態２と異なっている。
【０１０３】
図６は実施の形態３に係る映像信号出力装置７の概略構成を示した図である。実施の形態３においては新たに映像信号／音声信号選択回路２５を備えている。実施の形態２と同様の点は説明を省略する。
【０１０４】
映像信号／音声信号選択回路２５は２つセレクタ回路２４から構成されており、各々のセレクタ回路２４は映像・音声選択信号２６の指示に基づき、音声信号（Ｒ）２２と色差信号（Ｃｂ）２、音声信号（Ｌ）２３と色差信号（Ｃｒ）３の切り替えを行う。切り換えの組合せは色差信号と音声信号とを切り換えるのであればどの組合せでも良い。
【０１０５】
映像・音声選択信号２６の指示によって、映像が選択された場合は、ゲイン調整用乗算手段２１ａ〜２１ｃのゲインを０とし、２つのセレクタ回路２４は色差信号（Ｃｒ，Ｃｂ）２，３を選択する。したがって、映像信号出力装置７は、実施の形態２と同様に、走査線数が５２５、走査方式がインターレース、アスペクト比が４：３のＤ１端子としての出力を行うこととなる。
【０１０６】
映像・音声選択信号２６の指示によって、音声が選択された場合は、ゲイン調整用の乗算手段２１ａ〜２１ｃのゲインを１とし、２つのセレクタ回路２４は音声信号を選択する。したがって、４極ミニジャックの端子のうち１極には輝度信号９に色差信号（Ｃｒ、Ｃｂ）２、３、水平垂直同期信号１０、バーストフラグ信号１９が重畳された通常のコンポジット信号が接続され、また、音声信号（Ｌ、Ｒ）２２、２３が４極ミニジャックの端子のうち２極に接続され、残りの１極はグランドに接続されることとなる。すなわち、映像信号出力装置７が出力する信号は、通常の４極ミニジャックを用いた場合と同様に、コンポジット信号、ステレオ音声信号となる。
【０１０７】
ここで、実施の形態３においては、実施の形態２と同様に、色差信号（Ｃｒ、Ｃｂ）２，３およびバーストフラグ信号１９を信号分離回路１３に入力した後にゲインを０として分離してデジタル重畳輝度信号１を生成している。したがって、ゲインの調整をするのみで容易にデジタル重畳輝度信号を出力するかコンポジット信号を出力するかを選択することができる。
【０１０８】
実施の形態３の映像信号出力装置７は、実施の形態１と同様に、図４のようにデジタル撮像装置３０に実装することができる。したがって、実施の形態１と同様の効果を得ることができる。
【０１０９】
また、映像信号出力装置７はＤ１端子としての出力に加え、例えばユーザの選択によって、通常のコンポジット信号、およびステレオ音声信号を出力することもできる。したがって、図７のように、通常の映像・音声ピンプラグ２９が接続された４極ミニプラグ８を用いて、テレビ等の表示デバイスに撮像画像、撮像動画を表示させることも可能である。
【０１１０】
（実施の形態４）
本発明における実施の形態４について、図面を参照しながら説明する。実施の形態４においては、４極ミニジャックでなく５極ミニジャックを用いている点で実施の形態３と異なっている。
【０１１１】
図８は実施の形態４に係る映像信号出力装置７の概略構成を示した図である。実施の形態４においては、４極ミニジャックではなく５極ミニジャック２７を用いており、また、新たにＤＣ電圧信号出力部１４を備えている。実施の形態３と同様の点は説明を省略する。
【０１１２】
ＤＣ電圧信号出力部１４の出力は５極ミニジャックのプラグ差込口から見て一番奥の端子に接続されている。すなわち、ＤＣ電圧信号出力部１４の出力は追加された１極の端子に接続されており、テレビ等の表示デバイスの特性に応じて、Ｄ端子の規格により定まる所定の電圧を出力する。これにより、実施の形態４に係る映像信号出力装置７は、走査線数、アスペクト比、走査方式のいずれか１つを選択出力可能となっている。
【０１１３】
図９はＤＣ電圧信号出力部１４をアスペクト比の選択に用いた場合の５極ミニジャックおよびＤＣ電圧信号出力部１４の実施例を示している。ＤＣ電圧信号出力部１４はＴＶアスペクト比識別信号１５の内容に応じて、０Ｖ、２．２Ｖ、５Ｖのいずれかを出力する。
【０１１４】
すなわち、表３に示すように、ＴＶアスペクト比識別信号１５が示す表示デバイスのアスペクト比が１６：９の場合は５Ｖを、４：３レターボックスの場合は２．２Ｖを、４：３の場合は０Ｖを出力する。したがって、本実施の形態の映像信号出力装置７はアスペクト比を選択可能なＤ１端子としての出力を行うことが可能となる。
【０１１５】
図１０はＤＣ電圧信号出力部１４を走査線数の選択に用いた場合の５極ミニジャックおよびＤＣ電圧信号出力部１４の実施例を示している。ＤＣ電圧信号出力部１４はＴＶ走査線本数識別信号１６の内容に応じて、０Ｖ、２．２Ｖ、５Ｖのいずれかを出力する。すなわち、表３に示すように、ＴＶ走査線本数識別信号１６が示す表示デバイスの走査線数が１１２５本の場合は５Ｖを、７５０本の場合は２．２Ｖを、５２５本の場合は０Ｖを出力する。したがって、本実施の形態の映像信号出力装置７は走査線本数を選択出力することが可能となる。
【０１１６】
図１１はＤＣ電圧信号出力部１４を走査方式の選択に用いた場合の５極ミニジャックおよびＤＣ電圧信号出力部１４の実施例を示している。ＤＣ電圧信号出力部１４はＴＶ走査方式識別信号１７の内容に応じて、０Ｖ、５Ｖのいずれかを出力する。すなわち、表３に示すように、ＴＶ走査方式識別信号１７が示す表示デバイスの走査方式がプログレッシブの場合は５Ｖを、インターレースの場合は０Ｖを出力する。したがって、本実施の形態の映像信号出力装置７はアスペクト比が４：３のＤ２端子としての出力を行うことが可能となる。
【０１１７】
図１２は実施の形態４に係る映像信号伝送ケーブルを説明した図である。実施の形態４に係る映像信号伝送ケーブルは一方を５極ミニプラグ１８として、他方をＤ端子コネクタプラグ３２として構成されている。５極ミニプラグ１８の輝度信号、色差信号（Ｃｒ、Ｃｂ）に対応する端子は、各々、表２におけるＤ端子のＹ、Ｃｒ、Ｃｂに対応する端子へと接続されている。
【０１１８】
またＤＣ電圧信号出力部１４に対応する端子は走査線数、走査方式、アスペクト比のいずれの識別に用いられるかに応じて識別信号１〜３いずれかの端子へと接続されている。  また、グランドに対応する端子は表２におけるＤ端子のＹ−ＧＮＤ、Ｃｂ−Ｇｎｄ、Ｃｒ―ＧＮＤ、識別信号１〜３のうち残りの２つ、プラグ挿入検出―ＧＮＤに対応する端子へと接続されている。
【０１１９】
実施の形態４の映像信号出力装置７は、実施の形態１〜３と同様に、図４のようにデジタル撮像装置３０に実装することができる。したがって、実施の形態１〜３と同様の効果を得ることができる。また、走査線数、走査方式、アスペクト比のいずれか１つを選択出力することが可能となる。
【０１２０】
さらに、本実施の形態においては、ＤＣ電圧信号出力部１４に対応する端子は上述のように５極ミニジャックのプラグ差込口から見て一番奥に配置されている。したがって、本実施の形態においては図２，３に示すような実施の形態１の映像信号伝送ケーブルを用いることも可能である。一番奥の端子は余っているものの、残りの４極を用いることによりアスペクト比４：３のＤ１端子としての出力は行える。
【０１２１】
すなわち、本実施の形態における映像信号出力装置７は図１２に示す映像信号伝送ケーブルと、図２、３に示す映像信号伝送ケーブルの双方を併用することが可能である。また、セレクタ回路２４を設けているので、通常の４極ケーブルを用いて、コンポジット信号、および音声信号を出力することも可能である。
【０１２２】
なお、実施の形態４において、必ずしもセレクタ回路２４を設け、音声信号と色差信号を選択可能にする必要がないことはいうまでもない。また信号分離回路１３を必ずしも設ける必要はなく、デジタル重畳輝度信号１、色差信号（Ｃｒ、Ｃｂ）２、３の生成の仕方は特に限定されない。しかしながら、信号分離回路１３を設けることにより、音声信号と色差信号の切り換えを容易に行うことが可能である。
【０１２３】
また、ＤＣ電圧信号出力部１４は走査線数が７５０本、あるいはアスペクト比が４：３レターボックスの場合に必ずしも２．２Ｖを出力する必要はなく、１．４〜２．４Ｖの範囲で良い。
【０１２４】
（実施の形態５）
本発明における実施の形態５について、図面を参照しながら説明する。実施の形態５においては、４極ミニジャックでなく７極ミニジャックを用いている点で実施の形態３と異なっている。
【０１２５】
図１３は実施の形態５に係る映像信号出力装置７の概略構成を示した図である。実施の形態５においては、４極ミニジャックではなく７極ミニジャック２８を用いており、また、ＤＣ電圧信号出力部１４を備えている。実施の形態３と同様の点は説明を省略する。
【０１２６】
ＤＣ電圧信号出力部１４の３つの出力は、各々、プラグ差込口から見て奥の３極の端子に接続されており、テレビ等の表示デバイスの特性に応じて、Ｄ端子の規格により定まる所定の電圧を出力する。これにより、実施の形態５に係る映像信号出力装置７は、走査線数、アスペクト比、走査方式を選択出力可能となっている。
【０１２７】
図１４は実施の形態５におけるＤＣ電圧信号出力部１４の構成を示した図である。ＤＣ電圧信号出力部１４は３つのＤＣ電圧信号出力器１４ａ〜１４ｃから構成されている。ＤＣ電圧信号出力器１４ａはＴＶアスペクト比識別信号１５の内容に応じて、０Ｖ、２．２Ｖ、５Ｖのいずれかを出力する。すなわち、表３に示すように、ＴＶアスペクト比識別信号１５が示す表示デバイスのアスペクト比が１６：９の場合は５Ｖを、４：３レターボックスの場合は２．２Ｖを、４：３の場合は０Ｖを出力する。
【０１２８】
ＤＣ電圧信号出力器１４ｂはＴＶ走査線本数識別信号１６の内容に応じて、０Ｖ、２．２Ｖ、５Ｖのいずれかを出力する。すなわち、表３に示すように、ＴＶ走査線本数識別信号１６が示す表示デバイスの走査線数が１１２５本の場合は５Ｖを、７５０本の場合は２．２Ｖを、５２５本の場合は０Ｖを出力する。
【０１２９】
ＤＣ電圧信号出力器１４ｃはＴＶ走査方式識別信号１７の内容に応じて、０Ｖ、５Ｖのいずれかを出力する。すなわち、表３に示すように、ＴＶ走査方式識別信号１７が示す表示デバイスの走査方式がプログレッシブの場合は５Ｖを、インターレースの場合は０Ｖを出力する。このように、実施の形態５における映像信号出力装置７は識別信号１〜３の全てを出力することができ、Ｄ５端子としての出力を行うことが可能となる。
【０１３０】
図１５は実施の形態５に係る映像信号伝送ケーブルを説明した図である。実施の形態５に係る映像信号伝送ケーブルは一方を７極ミニプラグ２８として、他方をＤ端子コネクタプラグ３２として構成されている。７極ミニプラグ１８の輝度信号、色差信号（Ｃｒ、Ｃｂ）に対応する端子は、各々、表２におけるＤ端子のＹ、Ｃｒ、Ｃｂに対応する端子へと接続されている。
【０１３１】
またＤＣ電圧信号出力器１４ａ〜１４ｃに対応する端子は、走査線数、走査方式、アスペクト比のいずれの識別に用いられるかに応じて、各々、識別信号１〜３いずれかの端子へと接続されている。また、グランドに対応する端子は表２におけるＤ端子のＹ−ＧＮＤ、Ｃｂ−Ｇｎｄ、Ｃｒ―ＧＮＤ、プラグ挿入検出―ＧＮＤに対応する端子へと接続されている。
【０１３２】
図１６は実施の形態５に係る映像信号出力装置７を備えるデジタル撮像装置３１である。デジタル撮像装置３１はミニジャックと同一の面積の出力部を有するのみでＤ５端子としての出力を行うことができる。７極ミニジャックに必要となる面積はＤ端子に必要となる面積と比較すると格段に小さい。
【０１３３】
したがって、実施の形態５によると、小型化が望まれるデジタル撮像装置においても、出力部の実装面積の増大を気にすることなく、Ｄ５端子としての出力を行うことが可能である。Ｄ５端子においては、輝度信号と色差信号（Ｃｒ、Ｃｂ）が独立に伝送されるため、各信号間の干渉がなく、高画質の信号をテレビ等の表示デバイスへと伝送することが可能である。したがって、テレビ等の表示デバイスにおいてはデジタル撮像装置で撮像した画像、あるいは動画をより鮮明に映し出すことができる。
【０１３４】
さらに、本実施の形態においては、ＤＣ電圧信号出力部１４に対応する３つの端子は上述のように７極ミニジャックのプラグ差込口から見て一番奥に配置されている。したがって、本実施の形態においては図２，３に示すような実施の形態１の映像信号伝送ケーブルを用いることも可能である。奥の３つの端子は余っているものの、残りの４極を用いることによりアスペクト比４：３のＤ１端子としての出力は行える。
【０１３５】
すなわち、本実施の形態における映像信号出力装置７は図１５に示す映像信号伝送ケーブルと、図２、３に示す映像信号伝送ケーブルの双方を併用することが可能である。また、セレクタ回路２４を設けているので、通常の４極ケーブルを用いて、コンポジット信号、および音声信号を出力することも可能である。
【０１３６】
なお、実施の形態５において、必ずしもセレクタ回路２４を設け、音声信号と色差信号を選択可能にする必要がないことはいうまでもない。また信号分離回路１３を必ずしも設ける必要はなく、デジタル重畳輝度信号１、色差信号（Ｃｒ、Ｃｂ）２、３の生成の仕方は特に限定されない。しかしながら、信号分離回路１３を設けることにより、容易に音声信号と色差信号の切り換えを行うことが可能である。
【０１３７】
また、ＤＣ電圧信号出力部は走査線数が７５０本、あるいはアスペクト比が４：３レターボックスの場合に必ずしも２．２Ｖを出力する必要はなく、１．４〜２．４Ｖの範囲で良い。
【産業上の利用可能性】
【０１３８】
本発明の映像信号出力装置および映像信号伝送ケーブルによれば、従来のデジタル撮像装置の大きさを変えることなく、もしくはほとんど大きくすることなく、輝度・色差信号をそれぞれ独立に伝送するＤ端子コネクタに出力することができるため、従来のテレビ用コンポジット信号に比べより干渉が少なくなり、高画質な映像を出力することが可能となるという効果を有し、映像信号出力用Ｄ端子への変換コネクタを装備し、Ｄ端子用信号出力を可能とする映像信号出力装置および映像信号伝送ケーブル等として有用である。
【図面の簡単な説明】
【０１３９】
【図１】本発明の実施の形態１を説明するための映像信号出力装置の概略構成を示す図
【図２】本発明の実施の形態１を説明するための映像信号伝送ケーブルの概略構成を示す図
【図３】本発明の実施の形態１を説明するための映像信号伝送ケーブルの詳細構成を示す図
【図４】本発明の実施の形態１を説明するためのデジタル撮像装置と映像信号伝送ケーブルを示す図
【図５】本発明の実施の形態２を説明するための映像信号出力装置の概略構成を示す図
【図６】本発明の実施の形態３を説明するための映像信号出力装置の概略構成を示す図
【図７】本発明の実施の形態３を説明するためのデジタル撮像装置とコンポジットビデオケーブルを示す図
【図８】本発明の実施の形態４を説明するための映像信号出力装置の概略構成を示す図
【図９】本発明の実施の形態４においてアスペクト比を選択可能にした例を示す図
【図１０】本発明の実施の形態４において走査線数を選択可能にした例を示す図
【図１１】本発明の実施の形態４において走査方式を選択可能にした例を示す図
【図１２】本発明の実施の形態４を説明するための映像信号伝送ケーブルの概略構成を示す図
【図１３】本発明の実施の形態５を説明するための映像信号出力装置の概略構成を示す図
【図１４】本発明の実施の形態５を説明するためのＤＣ電圧信号出力部を詳細に示す図
【図１５】本発明の実施の形態５を説明するための映像信号伝送ケーブルの概略構成を示す図
【図１６】本発明の実施の形態５を説明するためのデジタル撮像装置と映像信号伝送ケーブルを示す図
【符号の説明】
【０１４０】
１  水平垂直同期信号が重畳されたデジタル重畳輝度信号
２  デジタル色差信号（Ｃｂ）
３  デジタル色差信号（Ｃｒ）
４  Ｄ／Ａ変換回路部
５  ７５Ωドライバ部
６  ４極ミニジャック
７  映像信号出力装置
８  ４極ミニプラグ
９  輝度信号
１０  水平垂直同期信号
１１  信号重畳回路部
１２  コンポジット信号
１３  信号分離回路
１４  ＤＣ電圧発生回路部
１５  ＴＶアスペクト比識別信号
１６  ＴＶ走査線本数識別信号
１７  ＴＶ走査方式識別信号
１８  ５極ミニプラグ
１９  バーストフラグ信号
２０  信号遅延回路
２１  ゲイン調整回路
２２  音声信号（Ｒ）
２３  音声信号（Ｌ）
２４  セレクタ回路
２５  映像信号／音声信号選択回路部
２６  映像・音声選択信号
２７  ５極ミニジャック
２８  ７極ミニプラグ
２９  映像・音声ピンプラグ
３０  Ｄ端子出力用４極ミニジャック付きデジタル撮像装置
３１  Ｄ端子出力用７極ミニジャック付きデジタル撮像装置
３２  Ｄ端子コネクタプラグ
【図１】
2005252589.tif 000006
【図２】
2005252589.tif 000007
【図３】
2005252589.tif 000008
【図４】
2005252589.tif 000009
【図５】
2005252589.tif 000010
【図６】
2005252589.tif 000011
【図７】
2005252589.tif 000012
【図８】
2005252589.tif 000013
【図９】
2005252589.tif 000014
【図１０】
2005252589.tif 000015
【図１１】
2005252589.tif 000016
【図１２】
2005252589.tif 000017
【図１３】
2005252589.tif 000018
【図１４】
2005252589.tif 000019
【図１５】
2005252589.tif 000020
【図１６】
2005252589.tif 000021